(57)【要約】【課題】従来のＬＥＤ信号機を改良し、ＬＥＤユニットの回込防止回路や複合現示対応回路を不要として信頼性と経済性を向上させるとともに単現示と複合現示の制御を正常に行う。【解決手段】既設の信号制御システム１０からの電圧と電流及び新しい信号制御システム２０からの制御信号により点滅するＬＥＤ信号機１に対して新しい信号制御システム２０から伝送された制御信号をＬＥＤユニット３に出力する小型制御端末２の出力回路を両線制御方式にして、従来のＬＥＤ信号機のＬＥＤユニットの回込防止回路や複合現示対応回路を不要にする。【選択図】  図２
2011020564.tif 000002
【特許請求の範囲】
【請求項１】
既設信号制御システムと新しい信号制御システムとの接続手段を有するＬＥＤ信号機において、
小型制御端末とＬＥＤユニットを有し、
前記小型制御端末は、両線制御方式の出力回路を有し、新しい信号制御システムから伝送された制御信号を前記ＬＥＤユニットに出力し、
前記ＬＥＤユニットは、ＬＥＤ発光部と、既設信号制御システムから伝送された制御信号を整流して前記ＬＥＤ発光部に駆動電流を供給する第１の整流回路と、前記小型制御端末からの制御信号を整流して前記ＬＥＤ発光部に駆動電流を供給する第２の整流回路及び前記第１の整流回路から前記ＬＥＤ発光部に駆動電流を供給する回路に設けられ、前記第２の整流回路からの駆動電流を阻止するダイオードとを有することを特徴とするＬＥＤ信号機。
【発明の詳細な説明】
【技術分野】
【０００１】
この発明は、鉄道などの信号制御システムに使用するＬＥＤ信号機、特に回路構成の簡略化に関するものである。
【背景技術】
【０００２】
鉄道信号機の点灯制御を行なう既設の信号制御システムは各信号灯と１対１の個別配線で接続して制御信号を伝送している。このため多数の電気配線を扱う必要があり施工や保守が容易でなかった。この問題を解消するため、各信号灯との間を光ＬＡＮで接続して多重化情報伝送方式の新しい信号制御システムが開示されている。
【０００３】
この個別配線を使用した既設の信号制御システムを多重化情報伝送方式の新しい信号制御システムに切り替えるに際して、新しい信号制御システムに円滑に切り替えるため既設の信号制御システムと新しい信号制御システムを接続し、新旧の信号制御システムを併存させるＬＥＤ信号機が特許文献１に開示されている。
【０００４】
特許文献１に示されたＬＥＤ信号機１ａは、図４（ａ）の回路図に示すように、既設の信号制御システム１０と新しい信号制御システム２０からの制御信号により点滅するものであり、小型制御端末２１とＬＥＤユニット３１を有する。小型制御端末２１は絶縁トランス４を介して電力が供給され、新しい信号制御システム２０からＬＡＮケーブルを介して伝送された多重化情報を個別化して制御信号をＬＥＤユニット３１に出力する。ＬＥＤユニット３１は、図４（ｂ）の回路図に示すように、ＬＥＤ発光部５と、既設の信号制御システム１０と個別配線で接続され、既設の信号制御システム１０から伝送された制御信号を整流してＬＥＤ発光部５に駆動電流を供給する第１の整流回路６と、小型制御端末２１からの制御信号を整流してＬＥＤ発光部５に駆動電流を供給する第２の整流回路７を有する。第１の整流回路６からＬＥＤ発光部５に駆動電流を供給する回路には第２の整流回路７からの駆動電流を阻止するダイオード８と回込防止回路３２が設けられている。この回込防止回路３２とダイオード８及びＬＥＤ発光部５と並列に複合現示対応回路３３が設けられている。複合現示対応回路３３は、図５の回路図に示すように、例えば２個のＬＥＤユニット３１Ｙ，３１Ｇが複合現示対象として直列接続された状態で、いずれか一方のＬＥＤ発光部５が断線したときに、既設の信号制御システム１０から伝送された制御信号を整流する第１の整流回路６からの駆動電流を迂回させて他方のＬＥＤ発光部５を滅灯させる。
【０００５】
この複合現示対象の２個のＬＥＤユニット３１Ｙ，３１Ｇに新しい信号制御システム２０から伝送された制御信号に応じた駆動電流を第２の整流回路７に出力する小型制御端末２１の出力回路にそれぞれリレー接点ＹＲ，ＧＲが片線制御方式で並列に設けられている。この場合、図６の回路図に示すように、回込防止回路３２を設けていない状態で、例えばリレー接点ＹＲが導通すると、小型制御端末のリレー接点ＧＲや第１の整流回路６に制御信号を出力する既設の信号制御システム１０のリレー接点ＹＧＲが遮断していても、図６の点線で示すように、小型制御端末２１の出力回路からＬＥＤユニット３１Ｇの第２の整流回路７からＬＥＤ発光部５と第１の整流回路６とＬＥＤユニット３１Ｙの第１の整流回路６と複合現示対応回路３３及び第２の整流回路７を通して半波整流された駆動電流が回り込んでＬＥＤユニット３１ＧのＬＥＤ発光部５までがうっすらと点灯してしまう。この駆動電流の回り込みは新しい信号制御システム２０でも常に２個のＬＥＤユニット３１Ｙ，３１Ｇを複合現示する場合は問題ないが、２個のＬＥＤユニット３１Ｙ，３１Ｇを個々に点灯する単現示の場合には不都合になる。この不都合が生じることを防ぐために各ＬＥＤユニット３１Ｙ，３１Ｇに回込防止回路３２を設けている。
【発明の概要】
【発明が解決しようとする課題】
【０００６】
前記のように各ＬＥＤユニット３１Ｙ，３１Ｇに回込防止回路３２や複合現示対応回路３３を設けているとＬＥＤユニット３１Ｙ，３１Ｇの回路構成が複雑になり、高価になってしまう。
【０００７】
この発明は、従来のＬＥＤ信号機を改良し、ＬＥＤユニットの回込防止回路や複合現示対応回路を不要として信頼性と経済性を向上させるとともに単現示と複合現示の制御を正常に行うことができるＬＥＤ信号機を提供することを目的とするものである。
【課題を解決するための手段】
【０００８】
この発明のＬＥＤ信号機は、既設信号制御システムと新しい信号制御システムとの接続手段を有するＬＥＤ信号機において、小型制御端末とＬＥＤユニットを有し、小型制御端末は、両線制御方式の出力回路を有し、新しい信号制御システムから伝送された制御信号をＬＥＤユニットに出力し、ＬＥＤユニットは、ＬＥＤ発光部と、既設信号制御システムから伝送された制御信号を整流してＬＥＤ発光部に駆動電流を供給する第１の整流回路と、小型制御端末からの制御信号を整流してＬＥＤ発光部に駆動電流を供給する第２の整流回路及び第１の整流回路からＬＥＤ発光部に駆動電流を供給する回路に設けられ、第２の整流回路からの駆動電流を阻止するダイオードを有することを特徴とする。
【発明の効果】
【０００９】
この発明は、新しい信号制御システムから伝送された制御信号をＬＥＤユニットに出力する小型制御端末の出力回路を両線制御方式にして従来のＬＥＤ信号機のＬＥＤユニットの回込防止回路や複合現示対応回路を不要にすることにより、信頼性と経済性を向上するとともに単現示と複合現示の制御を正常に行うことができる。
【図面の簡単な説明】
【００１０】
【図１】この発明のＬＥＤ信号機の構成を示す回路図である。
【図２】既設信号制御システムからの制御信号による複合現示状態を示す回路図である。
【図３】新しい信号制御システムからの制御信号による単現示状態を示す回路図である。
【図４】従来のＬＥＤ信号機の構成を示す回路図である。
【図５】従来のＬＥＤ信号機の複合現示状態を示す回路図である。
【図６】従来のＬＥＤ信号機の回込防止回路がない場合の単現示状態を示す回路図である。
【発明を実施するための形態】
【００１１】
図１（ａ），（ｂ）はこの発明のＬＥＤ信号機の構成を示す回路図である。図に示すように、ＬＥＤ信号機１は、信号機などの現場機器に接続した制御線に印加する電圧と電圧によって制御する方式の既設の信号制御システム１０と、信号機などの現場機器に設けた小型制御端末と接続した電送線に送受される制御情報によって制御する方式の新しい信号制御システム２０に接続され、既設の信号制御システム１０からの電圧と電流及び新しい信号制御システム２０からの制御信号により点滅するものであり、小型制御端末２とＬＥＤユニット３を有する。小型制御端末２は絶縁トランス４を介して電力が供給され、新しい信号制御システム２０からＬＡＮケーブルを介して伝送された多重化情報を個別化して制御信号をＬＥＤユニット３に出力する。ＬＥＤユニット３は、図１（ｂ）に示すように、ＬＥＤ発光部５と、既設の信号制御システム１０と個別配線で接続され、既設の信号制御システム１０から伝送された制御信号を整流してＬＥＤ発光部５に駆動電流を供給する第１の整流回路６と、小型制御端末２からの制御信号を整流してＬＥＤ発光部５に駆動電流を供給する第２の整流回路７を有する。第１の整流回路６からＬＥＤ発光部５に駆動電流を供給する回路には第２の整流回路７からの駆動電流を阻止するダイオード８が設けられている。このＬＥＤユニット３の第２の整流回路７に駆動電流を出力する小型制御端末２の出力回路は、図２に示すように、１対のリレー接点Ｒが両線制御方式で設けられている。
【００１２】
このＬＥＤ信号機１で既設の信号制御システム１０から制御信号が入力すると、入力した制御信号を第１の整流回路６で全波整流してダイオード８からＬＥＤ発光部５に駆動電流を供給してＬＥＤ発光部５を点灯させる。また、新しい信号制御システム２０から制御信号が入力して小型制御端末２のリレー接点Ｒを導通させると第２の整流回路７に交流電圧が供給され、第２の整流回路７で全波整流してＬＥＤ発光部５に駆動電流を供給してＬＥＤ発光部５を点灯させる。
【００１３】
このＬＥＤ信号機１で例えばＹ現示とＧ現示を複合現示する場合は、図２の回路図に示すように、２個のＬＥＤユニット３Ｙ，３Ｇの第１の整流回路６を直列に接続して既設の信号制御システム１０から伝送された制御信号を入力し、ＬＥＤユニット３Ｙの第２の整流回路７は小型制御端末２の出力回路に設けた１対のリレー接点ＹＲを介して制御信号を入力し、ＬＥＤユニット３Ｇの第２の整流回路７は小型制御端末２の出力回路に設けた１対のリレー接点ＧＲを介して制御信号を入力する。
【００１４】
この２個のＬＥＤユニット３Ｙ，３Ｇを有するＬＥＤ信号機１に既設の信号制御システム１０で複合現示させる場合、既設の信号制御システム１０のリレー接点ＹＧＲを導通させてＬＥＤユニット３Ｙ，３Ｇの直列接続された第１の整流回路６に交流電圧を供給する。このとき新しい信号制御システム２０から制御信号が入力しないので小型制御端末２の出力回路の設けたリレー接点ＹＲ，ＧＲはオフの状態になっている。ＬＥＤユニット３Ｙ，３Ｇの第１の整流回路６に供給された交流電圧は第１の整流回路６で全波整流されて、図２の破線で示すように、ＬＥＤユニット３ＹのＬＥＤ発光部５とＬＥＤユニット３ＧのＬＥＤ発光部５に駆動電流を流して点灯してＹＧ現示にする。
【００１５】
また、新しい信号制御システム２０から制御信号を入力してＬＥＤユニット３ＹのＬＥＤ発光部５を点灯するときは、図３の回路図に示すように、新しい信号制御システム２０からの制御信号により小型制御端末２のリレー接点ＹＲを導通させる。このリレー接点ＹＲの導通によりＬＥＤユニット３Ｙの第２の整流回路７に交流電圧が供給され、第２の整流回路７で全波整流してＬＥＤ発光部５に駆動電流を供給してＬＥＤ発光部５を点灯させてＹ現示とする。このとき小型制御端末２のリレー接点ＧＲはオフの状態になっており、かつリレー接点ＧＲが両線制御方式であるから、ＬＥＤユニット３Ｇの第２の整流回路７に駆動電流が回り込むことはなく、ＬＥＤユニット３ＧのＬＥＤ発光部５が点灯することを確実に防止することができる。
【００１６】
また、新しい信号制御システム２０からの制御信号により複合現示させる場合は、新しい信号制御システム２０からの制御信号により小型制御端末２のリレー接点ＹＲとリレー接点ＧＲを導通させることによりＬＥＤユニット３ＹのＬＥＤ発光部５とＬＥＤユニット３ＧのＬＥＤ発光部５を点灯させてＹＧ現示にする。
【符号の説明】
【００１７】
１；ＬＥＤ信号機、２；小型制御端末、３；ＬＥＤユニット、４；絶縁トランス、
５；ＬＥＤ発光部、６；第１の整流回路、７；第２の整流回路、８；ダイオード、
ＹＲ，ＧＲ；リレー接点、ＹＧＲ；リレー接点、１０；既設の信号制御システム、
２０；新しい信号制御システム。
【先行技術文献】
【特許文献】
【００１８】
【特許文献１】特開２００９−１１１４号公報
【図１】
2011020564.tif 000003
【図２】
2011020564.tif 000004
【図３】
2011020564.tif 000005
【図４】
2011020564.tif 000006
【図５】
2011020564.tif 000007
【図６】
2011020564.tif 000008